(57)【特許請求の範囲】
【請求項１】
湯を生成する加熱手段と、
前記加熱手段により生成された湯を貯える貯湯タンクと、
水源からの冷水を前記貯湯タンクに供給する給水配管と、
前記貯湯タンクから供給される湯と前記給水配管から供給される冷水とを混合した湯水を生成し、該湯水が蛇口に供給される蛇口側混合弁と、
前記蛇口へ流れる湯水の温度を検出する蛇口側温度検出手段と、
前記蛇口側温度検出手段により検出される蛇口側給湯温度が、ユーザーにより設定された蛇口側設定温度に一致するように、前記蛇口側混合弁の開度を制御する混合弁開度制御手段と、
前記蛇口側給湯温度が前記蛇口側設定温度と比べて異常に高い状態である高温出湯異常の発生を検出する異常検出手段と、
前記異常検出手段により前記高温出湯異常の発生が検出された場合に、前記蛇口側混合弁の異常に起因するか、前記給水配管から給水されない給水不可に起因するかを判定する異常原因判別手段と、
前記貯湯タンクから供給される湯と前記給水配管から供給される冷水とを混合した湯水を生成し、該湯水が浴槽に供給されるふろ側混合弁と、
前記ふろ側混合弁から前記浴槽へ向かうふろ側給湯流路を開閉するふろ側開閉弁と、
前記ふろ側給湯流路の水流を検出するふろ側水流検出手段と、
を備え、
前記異常原因判別手段は、前記ふろ側開閉弁を開く指令を出した後に前記ふろ側水流検出手段の検出結果を確認する異常原因判別処理を行い、該異常原因判別処理において、前記ふろ側水流検出手段により水流が検出された場合には前記蛇口側混合弁の異常であると判定し、前記ふろ側水流検出手段により水流が検出されない場合には前記給水不可であると判定する貯湯式給湯装置。
【請求項２】
湯を生成する加熱手段と、
前記加熱手段により生成された湯を貯える貯湯タンクと、
水源からの冷水を前記貯湯タンクに供給する給水配管と、
前記貯湯タンクから供給される湯と前記給水配管から供給される冷水とを混合した湯水を生成し、該湯水が蛇口に供給される蛇口側混合弁と、
前記蛇口へ流れる湯水の温度を検出する蛇口側温度検出手段と、
前記蛇口側温度検出手段により検出される蛇口側給湯温度が、ユーザーにより設定された蛇口側設定温度に一致するように、前記蛇口側混合弁の開度を制御する混合弁開度制御手段と、
前記蛇口側給湯温度が前記蛇口側設定温度と比べて異常に高い状態である高温出湯異常の発生を検出する異常検出手段と、
前記異常検出手段により前記高温出湯異常の発生が検出された場合に、前記蛇口側混合弁の異常に起因するか、前記給水配管から給水されない給水不可に起因するかを判定する異常原因判別手段と、
前記蛇口側混合弁の開度が冷水側に全開となっているか否かを検出する冷水側全開検出手段と、
を備え、
前記異常原因判別手段は、前記異常検出手段により前記高温出湯異常の発生が検出されたときに、前記蛇口側混合弁の開度が冷水側に全開となっている場合には前記給水不可またはその可能性があると判定し、前記蛇口側混合弁の開度が冷水側に全開となっていない場合には前記蛇口側混合弁の異常であると判定する貯湯式給湯装置。
【請求項３】
前記異常検出手段により前記高温出湯異常の発生が検出された場合に、ユーザーに前記高温出湯異常を報知する報知手段を備える請求項１または２記載の貯湯式給湯装置。
【請求項４】
前記異常原因判別手段により前記蛇口側混合弁の異常であると判定された場合には故障である旨をユーザーに報知し、前記異常原因判別手段により前記給水不可であると判定された場合には前記給水不可である旨をユーザーに報知する報知手段を備える請求項１または２記載の貯湯式給湯装置。
【請求項５】
前記蛇口側混合弁から前記蛇口に向かう水流を検出する蛇口側水流検出手段と、
前記異常原因判別手段により前記給水不可であると判定された場合に、前記蛇口側水流検出手段により水流が検出されている間はユーザーに前記高温出湯異常を報知し続け、前記蛇口側水流検出手段により水流が検出されなくなったときに前記高温出湯異常の報知を中止する報知手段と、
を備える請求項１または２記載の貯湯式給湯装置。
【請求項６】
前記異常原因判別手段により前記蛇口側混合弁の異常であると判定された場合に、前記蛇口側混合弁が異常である旨を記録する記録手段を備える請求項１乃至５の何れか１項記載の貯湯式給湯装置。
【発明の詳細な説明】
【技術分野】
【０００１】
本発明は、貯湯式給湯装置に関する。
【背景技術】
【０００２】
加熱手段により生成された湯を貯湯タンク内に貯え、この貯湯タンク内から必要時に湯を取り出して利用するようにした貯湯式給湯装置が広く用いられている。この貯湯式給湯装置は、貯湯タンクから供給される湯と、水道等の水源から給水配管により供給される冷水とを混合して蛇口（シャワー等を含む）に供給する電子制御式の混合弁を備えている。この混合弁の開度（湯と冷水との混合比）は、蛇口に供給される湯水の温度がユーザーにより設定された温度に一致するように、電気的に制御される。
【０００３】
特許文献１には、蛇口に供給される湯水の温度が設定温度より高い状態となる高温出湯異常が発生した場合に、混合弁の異常が原因であるか、太陽光によって加熱された温水が給水配管に供給されていることによる異常であるかを判別する技術が開示されている。
【先行技術文献】
【特許文献】
【０００４】
【特許文献１】特開２００６−２００７８７号公報
【発明の概要】
【発明が解決しようとする課題】
【０００５】
混合弁に異常がなく、且つ、太陽光によって加熱された温水が給水配管に供給されているのでもない場合であっても、高温出湯異常が発生する場合がある。それは、地域断水や給水配管専用止水栓が閉じられている等の理由により、給水配管からの給水が停止している場合である。貯湯タンクの下部には、給水配管が接続され、貯湯タンク内に水源の水圧が作用している。正常な状態では、蛇口を開くと、その水圧によって貯湯タンクの上部から湯が混合弁へ送り出される。しかしながら、給水配管からの給水が停止している場合には、貯湯タンクに水源の水圧が作用していないので、蛇口を開くと、サイフォン効果により、貯湯タンク内の湯が、貯湯タンク下部に接続された給水配管へ逆流し、混合弁の給水側を通って蛇口へと流れ、高温出湯異常となることがある。従来の装置では、このような給水停止による高温出湯異常が発生した場合に、混合弁の異常であるとして誤検出してしまうという問題がある。
【０００６】
本発明は、上述のような課題を解決するためになされたもので、高温出湯異常が混合弁の異常に起因するものであるか給水の停止に起因するものであるかを判別することのできる貯湯式給湯装置を提供することを目的とする。
【課題を解決するための手段】
【０００７】
本発明に係る貯湯式給湯装置は、湯を生成する加熱手段と、加熱手段により生成された湯を貯える貯湯タンクと、水源からの冷水を貯湯タンクに供給する給水配管と、貯湯タンクから供給される湯と給水配管から供給される冷水とを混合した湯水を生成し、該湯水が蛇口に供給される蛇口側混合弁と、蛇口へ流れる湯水の温度を検出する蛇口側温度検出手段と、蛇口側温度検出手段により検出される蛇口側給湯温度が、ユーザーにより設定された蛇口側設定温度に一致するように、蛇口側混合弁の開度を制御する混合弁開度制御手段と、蛇口側給湯温度が蛇口側設定温度と比べて異常に高い状態である高温出湯異常の発生を検出する異常検出手段と、異常検出手段により高温出湯異常の発生が検出された場合に、蛇口側混合弁の異常に起因するか、給水配管から給水されない給水不可に起因するかを判定する異常原因判別手段と、貯湯タンクから供給される湯と給水配管から供給される冷水とを混合した湯水を生成し、該湯水が浴槽に供給されるふろ側混合弁と、ふろ側混合弁から浴槽へ向かうふろ側給湯流路を開閉するふろ側開閉弁と、ふろ側給湯流路の水流を検出するふろ側水流検出手段と、を備え、異常原因判別手段は、ふろ側開閉弁を開く指令を出した後にふろ側水流検出手段の検出結果を確認する異常原因判別処理を行い、該異常原因判別処理において、ふろ側水流検出手段により水流が検出された場合には蛇口側混合弁の異常であると判定し、ふろ側水流検出手段により水流が検出されない場合には給水不可であると判定するものである。
また、本発明に係る貯湯式給湯装置は、湯を生成する加熱手段と、加熱手段により生成された湯を貯える貯湯タンクと、水源からの冷水を貯湯タンクに供給する給水配管と、貯湯タンクから供給される湯と給水配管から供給される冷水とを混合した湯水を生成し、該湯水が蛇口に供給される蛇口側混合弁と、蛇口へ流れる湯水の温度を検出する蛇口側温度検出手段と、蛇口側温度検出手段により検出される蛇口側給湯温度が、ユーザーにより設定された蛇口側設定温度に一致するように、蛇口側混合弁の開度を制御する混合弁開度制御手段と、蛇口側給湯温度が蛇口側設定温度と比べて異常に高い状態である高温出湯異常の発生を検出する異常検出手段と、異常検出手段により高温出湯異常の発生が検出された場合に、蛇口側混合弁の異常に起因するか、給水配管から給水されない給水不可に起因するかを判定する異常原因判別手段と、蛇口側混合弁の開度が冷水側に全開となっているか否かを検出する冷水側全開検出手段と、を備え、異常原因判別手段は、異常検出手段により高温出湯異常の発生が検出されたときに、蛇口側混合弁の開度が冷水側に全開となっている場合には給水不可またはその可能性があると判定し、蛇口側混合弁の開度が冷水側に全開となっていない場合には蛇口側混合弁の異常であると判定するものである。
【発明の効果】
【０００８】
本発明によれば、蛇口側混合弁の異常ではなく給水不可に起因して蛇口の高温出湯異常が発生した場合に、蛇口側混合弁が異常であると誤って検出することを防止することができる。
【図面の簡単な説明】
【０００９】
【図１】本発明の実施の形態１の貯湯式給湯装置を示す構成図である。
【図２】図１に示す貯湯式給湯装置の制御回路構成を示すブロック図である。
【図３】図１に示す貯湯式給湯装置の制御部が実行する制御動作のフローチャートである。
【図４】図１に示す貯湯式給湯装置の制御部が実行する制御動作のフローチャートである。
【発明を実施するための形態】
【００１０】
以下、図面を参照して本発明の実施の形態について説明する。なお、各図において共通する要素には、同一の符号を付して、重複する説明を省略する。
【００１１】
実施の形態１．
図１は、本発明の実施の形態１の貯湯式給湯装置を示す構成図である。図１に示す本実施形態の貯湯式給湯装置は、貯湯タンク４を有する貯湯ユニットＡと、ヒートポンプ式の熱源ユニットＢとを備えている。貯湯タンク４内は、常に満水状態に維持され、湯と冷水とが共存する場合には、上層側に湯を貯え、下層側に冷水を貯えることが可能である。
【００１２】
貯湯ユニットＡには、貯湯タンク４のほか、蛇口側電動湯水混合弁６ｅ、ふろ側電動湯水混合弁６ｆ等が設けられている。水道等の水源からの冷水は、減圧弁一次側給水配管２ａを通って、貯湯ユニットＡに供給される。減圧弁一次側給水配管２ａには、水源から供給される冷水の量を調整するための給水配管専用止水栓１が設けられている。減圧弁一次側給水配管２ａにより供給された冷水は、減圧弁３により所定圧力に減圧される。減圧弁３により減圧された冷水は、貯湯タンク給水配管２ｂを通って貯湯タンク４内の下部に供給され、あるいは、減圧弁二次側給水配管２ｄを通って蛇口側電動湯水混合弁６ｅおよびふろ側電動湯水混合弁６ｆへ供給される。
【００１３】
貯湯タンク４の沸き上げ動作時には、貯湯タンク４内の冷水が下部から取り出されて熱源ユニットＢに送られ、沸き上げられる。この沸き上げられた湯が貯湯ユニットＡに戻り、上部から貯湯タンク４内に流入する。なお、本発明における加熱手段は、図１に示すようなヒートポンプ式の熱源ユニットＢに限定されるものではなく、例えば、電気ヒーター式や燃料電池の排熱等により湯を沸き上げる方式のものでもよい。また、貯湯ユニットＡ内に加熱手段が設置されていてもよい。
【００１４】
貯湯タンク４の上部には、所定圧力で開弁する逃し弁５が接続されている。貯湯タンク４の沸き上げ動作時には、貯湯タンク４内の冷水が沸き上げられることにより体積膨張が生じ、貯湯タンク４の内圧が上昇する。そうすると、逃し弁５が開いて、体積膨張分に相当する量の湯水が貯湯ユニットＡ外へ排水される。これにより、貯湯タンク４の内圧の過上昇を防止することができる。また、後述の原因で貯湯タンク４の内圧が低下した場合も逃し弁５が開弁し、外気を吸い込む。
【００１５】
貯湯タンク４に貯えられた湯は、貯湯タンク給湯配管２ｃを通って、蛇口側電動湯水混合弁６ｅおよびふろ側電動湯水混合弁６ｆへ供給される。蛇口側電動湯水混合弁６ｅは、蛇口側混合給湯配管２ｅを介して、蛇口１０と接続されている。ふろ側電動湯水混合弁６ｆは、ふろ側混合給湯配管２ｆを介して、浴槽１１と接続されている。ふろ側混合給湯配管２ｆには、浴槽１１への給湯要求の有無に応じて開閉を行うふろ側開閉弁としての電磁弁７が設置されている。
【００１６】
蛇口１０は、例えば洗面台、流し台、シャワーなどに設けられるものである。この蛇口１０は、出湯量の調整が可能であればよく、複数台並列設置する構成としてもよい。また、蛇口１０は、蛇口側電動湯水混合弁６ｅから供給される湯水に、水源からの水を更に混合して出湯する構成のものでもよい。
【００１７】
貯湯ユニットＡには、更に、本貯湯式給湯装置全体の制御を司る制御部９が設けられている。制御部９には、熱源ユニットＢ、蛇口側電動湯水混合弁６ｅ、ふろ側電動湯水混合弁６ｆ、電磁弁７のほか、蛇口側混合給湯配管２ｅでの水流を検出する蛇口側流量センサ１２ｅ、ふろ側混合給湯配管２ｆでの水流を検出するふろ側流量センサ１２ｆ、蛇口側混合給湯配管２ｅを流れる湯水の温度を検出する蛇口側温度センサ１３ｅ、ふろ側混合給湯配管２ｆを流れる湯水の温度を検出するふろ側温度センサ１３ｆ、沸き上げ制御や給湯温度制御などに用いられる給水温度センサ１３ａ、給湯温度制御などに用いられる貯湯タンク給湯温度センサ１３ｃなどのセンサ類が電気的に接続されている。
【００１８】
制御部９は、有線または無線により操作部８と相互に通信可能になっている。ユーザーは、操作部８により、給湯温度などの各種の設定を行うことができる。操作部８は、台所や浴室などに複数個を設置する構成としてもよい。制御部９は、ユーザーにより操作部８で設定された内容に基づいて、本貯湯式給湯装置全体の制御する。例えば、蛇口１０が開かれた場合には、制御部９は、蛇口側温度センサ１３ｅにより検出される蛇口側給湯温度が、ユーザーにより設定された蛇口側設定温度に一致するように、蛇口側電動湯水混合弁６ｅの開度（湯と冷水との混合比）を制御する。また、浴槽１１に湯張りする場合には、制御部９は、ユーザーにより設定された湯張り温度に応じて、ふろ側電動湯水混合弁６ｆの開度を制御する。また、貯湯タンク４の沸き上げ動作時には、制御部９は、熱源ユニットＢに対し沸き上げ指示を行う。なお、本貯湯式給湯装置の制御回路構成ブロック図を図２に示す。
【００１９】
通常、貯湯タンク４内には、減圧弁３により所定圧力に減圧された水源の水圧が貯湯タンク給水配管２ｂから作用している。蛇口１０が開かれると、この水圧によって貯湯タンク４の上部から湯が貯湯タンク給湯配管２ｃに送り出され、蛇口側電動湯水混合弁６ｅに供給される。しかしながら、水源の断水、あるいは給水配管専用止水栓１が閉じられているなどの理由により、減圧弁一次側給水配管２ａからの給水がなされない状態（以下、「給水不可」と称する）で、蛇口１０が開かれた場合、次のような現象が生じる。
【００２０】
給水不可のときには、貯湯タンク４内に水源からの水圧が作用していないので、貯湯タンク４内の湯が貯湯タンク給湯配管２ｃに送られない。この状態で蛇口１０が開かれると、蛇口側混合給湯配管２ｅ内に滞留していた湯水が排出されるのに伴い、サイフォン効果により、貯湯タンク４内の湯が貯湯タンク給水配管２ｂへ逆流し、この湯が減圧弁二次側給水配管２ｄおよび蛇口側電動湯水混合弁６ｅの冷水側を通って蛇口１０から出湯される。このとき、逃し弁５の負圧作動部から空気を吸い込み、この空気が貯湯タンク４の上部に流入する。
【００２１】
このように、給水不可のときに蛇口１０が開かれると、貯湯タンク４内の湯が蛇口側電動湯水混合弁６ｅの冷水側を通って蛇口１０から出湯される。このため、蛇口１０からの出湯温度が蛇口側設定温度と比べて異常に高くなる状態（以下、「高温出湯異常」と称する）が発生することがある。このようにして発生した高温出湯異常は、蛇口側電動湯水混合弁６ｅの異常（故障）に起因するものではないので、蛇口側電動湯水混合弁６ｅの異常として検出すると誤検出となる。
【００２２】
本貯湯式給湯装置は、上記の誤検出を防止するため、高温出湯異常が発生した場合に、蛇口側電動湯水混合弁６ｅの異常に起因するものであるか、給水不可に起因するものであるかを判別する機能を有している。図３および図４は、高温出湯異常の検出および原因の判別を行うために制御部９が実行する制御動作のフローチャートである。以下、このフローチャートを参照して説明する。
【００２３】
図３のステップＳ１では、蛇口１０への給湯の有無が判断される。この判断は、蛇口側流量センサ１２ｅが水流を検出したか否かにより行われる。蛇口側流量センサ１２ｅが水流を検出していない場合には、フローチャートのＳＴＡＲＴへ戻り、ステップＳ１の判断を繰り返し行う。
【００２４】
一方、蛇口側流量センサ１２ｅが水流を検出した場合には、ステップＳ２へ移行し、蛇口側給湯時間の計測を開始する。次に、ステップＳ３へ移行し、蛇口側電動湯水混合弁６ｅの開度を補正する。ここでは、蛇口側温度センサ１３ｅで検出された蛇口側給湯温度と、操作部８によりユーザーが設定した蛇口側設定温度との温度差に基づいて、蛇口側電動湯水混合弁６ｅの開度が補正される。すなわち、検出された蛇口側給湯温度が蛇口側設定温度より高い場合には、冷水側の混合比を増加させるべく、冷水側の開度を増大させる。逆に、検出された蛇口側給湯温度が蛇口側設定温度より低い場合には、湯側の混合比を増加させるべく、湯側の開度を増大させる。
【００２５】
続いて、ステップＳ４へ移行し、ステップＳ２で計測開始された蛇口側給湯時間が所定の高温判定待機時間に達したか否かが判断される。蛇口側給湯時間が高温判定待機時間に達していなければ、ステップＳ３に戻る。蛇口側給湯時間が高温判定待機時間に達した場合には、ステップＳ５へ移行し、蛇口側給湯温度の高温判定を行う。
【００２６】
ステップＳ５では、蛇口側温度センサ１３ｅで検出された蛇口側給湯温度が、蛇口側設定温度に応じて設定される高温判定閾値以上であるか否かが判断される。この高温判定閾値は、例えば、蛇口側設定温度より所定の許容幅だけ高い温度とされる。検出された蛇口側給湯温度が高温判定閾値未満であった場合には、蛇口側給湯温度は正常範囲であると判定される。この場合には、ステップＳ３に戻る。一方、検出された蛇口側給湯温度が高温判定閾値以上であった場合には、蛇口側給湯温度は正常範囲より高温であると判定される。この場合には、ステップＳ６へ移行し、高温判定時間の経過を判断する。
【００２７】
ステップＳ６では、蛇口側給湯温度が高温判定閾値以上である状態が、所定の高温判定時間、継続しているか否かが判断される。このステップＳ６で、蛇口側給湯温度が高温判定閾値以上である状態の継続時間が高温判定時間に達していない場合には、蛇口側給湯温度がまだ収束していないだけである可能性があり、高温出湯異常とは断定できないので、ステップＳ３に戻る。これに対し、蛇口側給湯温度が高温判定閾値以上である状態の継続時間が高温判定時間に達した場合には、確実に高温出湯異常であると判断できる。この場合には、高温出湯異常であると判定され、ステップＳ７へ移行する。
【００２８】
給水不可に起因して高温出湯異常が発生した場合には、この時点で、蛇口側電動湯水混合弁６ｅの開度は、冷水側に全開の状態（冷水側の混合比を最大とする状態）になっていると考えられる。前述したように、給水不可のときに蛇口１０が開かれた場合には、貯湯タンク４内の湯が貯湯タンク給水配管２ｂおよび減圧弁二次側給水配管２ｄを通って蛇口側電動湯水混合弁６ｅの冷水側に供給される。このため、ステップＳ３の蛇口側電動湯水混合弁６ｅの開度補正処理において、蛇口側給湯温度を低下させようとして冷水側の開度を増大させる方向に補正すると、蛇口側給湯温度は逆に上昇する。したがって、ステップＳ３が繰り返し実行されることにより、蛇口側電動湯水混合弁６ｅは冷水側の開度を増大させる方向に補正され続けるので、冷水側に全開の状態に行き着いてしまうからである。
【００２９】
逆に、高温出湯異常の発生が判定された時点で蛇口側電動湯水混合弁６ｅの開度が冷水側に全開の状態でない場合には、高温出湯異常の原因が給水不可である可能性はないと言えるので、高温出湯異常の原因は蛇口側電動湯水混合弁６ｅの異常であると判断できる。
【００３０】
蛇口側電動湯水混合弁６ｅは、その開度が冷水側に全開の状態（以下、「原点」と称する）を検出可能になっている。この原点の検出は、例えば、蛇口側電動湯水混合弁６ｅの開度を変化させるステップモータの回転角度によって検出可能である。ステップＳ７では、ステップＳ３の補正処理による補正量が所定の閾値を超過するまでの間で蛇口側電動湯水混合弁６ｅが原点を検出したか否かが判断される。蛇口側電動湯水混合弁６ｅが原点を検出していなければ、上述した理由から、高温出湯異常の原因は、給水不可ではなく、蛇口側電動湯水混合弁６ｅの異常であると確実に判断できる。よって、この場合には、ステップＳ９へ移行し、蛇口側電動湯水混合弁６ｅの異常であると判定する。更にステップＳ１１へ移行し、蛇口側電動湯水混合弁６ｅが異常（故障）である旨を操作部８により報知し、ここで処理を終了する。この報知により、ユーザーに修理依頼などの対応を促すことができる。また、ステップＳ１１では、高温出湯異常に対するユーザーの注意を喚起するため、高温出湯異常である旨を併せて報知してもよい。
【００３１】
一方、ステップＳ７で、蛇口側電動湯水混合弁６ｅが原点を検出している場合には、上述した理由により、給水不可の可能性があるが、蛇口側電動湯水混合弁６ｅの異常である可能性もある。この場合には、ステップＳ８に移行し、給水不可の可能性、または蛇口側電動湯水混合弁６ｅの異常の疑いがあると判定される。更に、ステップＳ１０に移行し、ユーザーの注意を喚起するため、高温出湯異常である旨および蛇口側電動湯水混合弁６ｅの異常の疑いがある旨を操作部８により報知する。この場合には、給水不可であるか、蛇口側電動湯水混合弁６ｅの異常であるかを確実に判別するため、引き続き、図４のフローチャートに示す異常原因判別処理を行う。
【００３２】
まず、図４のステップＳ１２では、電磁弁７の開閉状態を確認する。電磁弁７が開いていた場合には、浴槽１１への給湯時に既に給水不可判定処理が行われていると判断できるので、異常原因判別処理を行う必要はない。この場合には、蛇口側電動湯水混合弁６ｅの異常であると判定し、ここで処理を終了する。
【００３３】
一方、電磁弁７が閉じていた場合には、ステップＳ１３へ移行して電磁弁開放時間の計測を開始するとともに、ステップＳ１４へ移行して電磁弁７を開放する。そして、ステップＳ１５へ移行して、電磁弁７の開放から所定時間が経過したかどうかを判断し、所定時間が経過した場合には、ステップＳ１６へ移行して、ふろ側給湯の有無を判定する。ステップＳ１６では、ふろ側流量センサ１２ｆが水流を検出したか否かが判断される。
【００３４】
給水不可である場合には、電磁弁７を開いても、ふろ側混合給湯配管２ｆに湯水は流れない。逆に、電磁弁７を開いたときにふろ側混合給湯配管２ｆに湯水が流れるのであれば、給水不可ではない。したがって、ステップＳ１６でふろ側流量センサ１２ｆが水流を検出した場合には、給水不可ではなく蛇口側電動湯水混合弁６ｅの異常であると判定するとともに、ステップＳ１７へ移行して電磁弁７を閉止した後、処理を終了する。
【００３５】
これに対し、ステップＳ１６でふろ側流量センサ１２ｆが水流を検出しなかった場合には、蛇口側電動湯水混合弁６ｅの異常ではなく、給水不可であると判定する。この場合には、ステップＳ１８へ移行して電磁弁７を閉止し、更にステップＳ１９へ移行して蛇口側給湯の有無を蛇口側流量センサ１２ｅにより判定する。ステップＳ１９で蛇口側流量センサ１２ｅが水流を検出しなくなった場合には、ステップＳ２０へ移行し、蛇口側電動湯水混合弁６ｅの異常疑いを解除するとともに、ステップＳ１０で行った高温出湯異常である旨および蛇口側電動湯水混合弁６ｅの異常の疑いがある旨のユーザーへの報知を中止する。そして、ステップＳ２１へ移行し、給水不可であることを操作部８によりユーザーに報知し、処理を終了する。
【００３６】
以上説明した制御動作によれば、高温出湯異常が発生した場合に、蛇口側電動湯水混合弁６ｅの異常に起因するものであるか、給水不可に起因するものであるかを正確に判別することができる。このため、蛇口側電動湯水混合弁６ｅが正常であるのに蛇口側電動湯水混合弁６ｅが異常であると誤って検出することを確実に防止することができる。
【００３７】
また、上述したように、本実施形態では、給水不可に起因する高温出湯異常の場合には、蛇口側流量センサ１２ｅが水流を検出している間は高温出湯異常である旨の報知を継続し、蛇口側流量センサ１２ｅが水流を検出しなくなったときは該異常報知を中止する。給水不可が高温出湯異常の原因であった場合には、装置側には異常がなく、給水不可が解消されれば高温出湯異常は解消するのであるが、そのときに高温出湯異常の報知が解除されないと、ユーザーの誤解を招く。上記の制御によれば、給水不可が解消された場合には高温出湯異常の報知も解除されるので、不必要な異常報知によってユーザーの誤解を招くことを防止することができる。また、蛇口１０から高温出湯している最中は高温出湯異常を報知するので、ユーザーに注意を喚起することができ、安全性に優れる。
【００３８】
また、本実施形態では、ステップＳ７の原点検出の有無と、ステップＳ１６のふろ側給湯の有無との双方を併用して給水不可と蛇口側電動湯水混合弁６ｅの異常とを判別している。このため、より正確な判別が可能となる。本発明では、この両者の一方によって判別を行ってもよい。すなわち、ステップＳ７を省略し、ステップＳ１６でふろ側給湯がない場合には給水不可と判定し、ふろ側給湯がある場合には蛇口側電動湯水混合弁６ｅの異常と判定してもよい。また、ふろ側給湯の有無による判断を省略し、ステップＳ７で原点を検出している場合には給水不可と判定し、原点を検出していない場合には蛇口側電動湯水混合弁６ｅの異常と判定するようにしてもよい。
【００３９】
以上、本発明の貯湯式給湯装置の実施の形態について説明したが、本発明は上記の形態に限定されるものではない。例えば、貯湯ユニットＡは、浴槽１１内の湯水を追焚きするための、ふろ側混合給湯配管２ｆに設けた熱交換器やポンプを有する構成としてもよい。
【００４０】
また、高温出湯異常、蛇口側電動湯水混合弁６ｅの異常、給水不可を報知する方法は、例えば文字ガイダンス、アラーム、音声などいかなる方法でもよく、また、報知に用いる装置も操作部８に限るものではなく、本貯湯式給湯装置とリンクする他の装置を用いて報知してもよい。
【００４１】
また、蛇口側電動湯水混合弁６ｅの異常であると判定された場合には、その記録を制御部９の記憶装置に残すようにしてもよい。この記録を残すことにより、修理の際に故障箇所を容易に特定し、修理を迅速に行うことが可能となる。
【符号の説明】
【００４２】
Ａ      貯湯ユニット
Ｂ      熱源ユニット
１      給水配管専用止水栓
２ａ    減圧弁一次側給水配管
２ｂ    貯湯タンク給水配管
２ｃ    貯湯タンク給湯配管
２ｄ    減圧弁二次側給水配管
２ｅ    蛇口側混合給湯配管
２ｆ    ふろ側混合給湯配管
３      減圧弁
４      貯湯タンク
５      逃し弁
６ｅ    蛇口側電動湯水混合弁
６ｆ    ふろ側電動湯水混合弁
７      電磁弁
８      操作部
９      制御部
１０    蛇口
１１    浴槽
１２ｅ  蛇口側流量センサ
１２ｆ  ふろ側流量センサ
１３ａ  給水温度センサ
１３ｃ  貯湯タンク給湯温度センサ
１３ｅ  蛇口側温度センサ
１３ｆ  ふろ側温度センサ
【図１】
0005589876.tif 000002
【図２】
0005589876.tif 000003
【図３】
0005589876.tif 000004
【図４】
0005589876.tif 000005